(57)【要約】乳幼児が電池を取り出しにくくしつつ、乳幼児以外の人は電池を取り出し可能な電池包装体の構成を得る。電池包装体１は、台紙１０と、台紙１０との間に電池２を収納可能なブリスターカバー２０とを備える。台紙１０とブリスターカバー２０とは、少なくともそれらの外周縁部で固定されている。ブリスターカバー２０は、収納凸部２４と繋がる位置で台紙１０に対して固定されていない非固定部３２と、収納凸部２４に沿うように設けられた第１リブ部２６ａとを有する。非固定部３２は、第１リブ部２６ａに対して収納凸部２４を挟んで反対側に位置し且つ切断可能領域Ｐの一部を構成する。第１リブ部２６ａは、非固定部３２、収納凸部２４及び第１リブ部２６ａが並ぶ方向に対して交差する方向に延びている。
2018207911.tif 000002
【特許請求の範囲】
【請求項１】
電池を包装するための電池包装体であって、
第１部材と、
前記第１部材との間に前記電池を収納可能な第２部材とを備え、
前記第１部材と前記第２部材とは、少なくともそれらの外周縁部で固定されていて、
前記第２部材は、
前記第１部材との間に前記電池を収納可能な収納空間を形成するように前記第２部材の厚み方向に突出した収納凸部と、
前記収納凸部と繋がる位置に設けられるとともに、前記第１部材に対して固定されていない非固定部と、
前記収納凸部に沿うように設けられるとともに、前記第２部材の厚み方向に突出した第１リブ部と、
を有し、
前記非固定部は、前記第１リブ部に対して前記収納凸部を挟んで反対側に位置するとともに、電池包装体を開封する際に切断される切断可能領域の一部を構成し、
前記第１リブ部は、前記非固定部、前記収納凸部及び前記第１リブ部が並ぶ方向に対して交差する方向に延びている、電池包装体。
【請求項２】
請求項１に記載の電池包装体において、
前記切断可能領域は、前記交差する方向に直線状に延びている、電池包装体。
【請求項３】
請求項１または２に記載の電池包装体において、
前記第１リブ部は、前記交差する方向において、前記電池の寸法よりも大きい長さを有する、電池包装体。
【請求項４】
請求項１から３のいずれか一つに記載の電池包装体において、
前記第２部材は、前記収納凸部に沿うように、前記非固定部、前記収納凸部及び前記第１リブ部が並ぶ方向に延びる第２リブ部を有する、電池包装体。
【請求項５】
請求項４に記載の電池包装体において、
前記第２リブ部は、前記第１リブ部に接続されている、電池包装体。
【請求項６】
請求項５に記載の電池包装体において、
前記第１リブ部及び前記第２リブ部は、前記第２部材の厚み方向から見て全体としてＵ字状に形成されている、電池包装体。
【請求項７】
請求項４から６のいずれか一つに記載の電池包装体において、
前記切断可能領域において、前記第２部材のうち、前記第２部材の厚み方向から見て前記交差する方向の少なくとも中央部分は、前記第１部材に対して厚み方向に平行な平板状である、電池包装体。
【請求項８】
請求項４から７のいずれか一つに記載の電池包装体において、
前記切断可能領域において、前記第２部材は、前記第１部材に対して厚み方向に平行な平板状であり、
前記切断可能領域は、前記非固定部において、前記第２部材の厚み方向から見て前記第２リブ部と重なっていない、電池包装体。
【請求項９】
請求項１から８のいずれか一つに記載の電池包装体において、
前記第１リブ部は、前記収納凸部に接続されている、電池包装体。
【請求項１０】
請求項１から９のいずれか一つに記載の電池包装体において、
前記第１部材の剛性は、前記非固定部、前記収納凸部及び前記第１リブ部が並ぶ方向に対して交差する方向において、前記第２部材の剛性よりも低い、電池包装体。
【請求項１１】
請求項１から１０のいずれか一つに記載の電池包装体において、
前記第１リブ部の剛性は、前記第１部材と前記第２部材との固定部分のうち、前記第１リブ部に対して前記交差する方向に位置する部分の剛性よりも高い、電池包装体。
【請求項１２】
請求項１から１１のいずれか一つに記載の電池包装体において、
前記第１部材の厚みは、前記第２部材の厚みよりも小さい、電池包装体。
【請求項１３】
請求項１から１２のいずれか一つに記載の電池包装体において、
前記第１部材は、
前記切断可能領域で切断された前記第１部材及び前記第２部材に対し、前記非固定部、前記収納凸部及び前記第１リブ部が並ぶ方向に対して交差する方向に圧縮力を加えて、前記交差する方向における前記第１部材及び前記第２部材の両端部を厚み方向の第１部材側に屈曲させた際に、
前記切断可能領域の切断によって形成された切断端面において、前記非固定部、前記収納凸部及び前記第１リブ部が並ぶ方向から見て、前記交差する方向において前記収納凸部に対応する領域で、前記厚み方向に撓んで前記第２部材に対して離間するように構成されている、電池包装体。
【発明の詳細な説明】
【技術分野】
【０００１】
本発明は、電池を包装するための電池包装体に関する。
【背景技術】
【０００２】
電池を包装するための電池包装体が知られている。このような電池包装体として、例えば特許文献１には、台紙と、収納部を有し且つ前記台紙に固定されるブリスターカバーとからなるブリスターパッケージが開示されている。このようなブリスターパッケージでは、台紙とブリスターカバーとの間に前記収納部によって形成される収納空間内に、電池が収納される。【０００３】
上述のような構成を有するブリスターパッケージには、一般的に、台紙の収納部に対応する位置にミシン目などが設けられている。そのため、前記収納空間内に収納された電池をブリスターパッケージから取り出す場合には、台紙のミシン目を破って電池を取り出したり、ブリスターカバー上から電池を台紙側に押し込むことにより、電池が台紙を突き破るようにして該電池を取り出したりする方法が採用されている。一方、上述のようなミシン目が台紙に設けられていない場合には、台紙とブリスターカバーとを剥離して、電池を取り出す。【０００４】
上述のような構成を有する電池包装体では、電池を容易に取り出せるような構成を採用している。そのため、乳幼児が電池包装体から電池を容易に取り出して、電池を誤飲する可能性がある。【０００５】
これに対し、例えば特許文献２に開示されているようなブリスター容器を、電池包装体として用いることにより、乳幼児が容易に電池を開封できないようにすることが考えられる。この特許文献２に開示されているブリスター容器では、ブリスターカバーに、一部が浅く形成された切断予定部が設けられている。ハサミ等を用いて切断予定部を台紙ごと切断することによって現れた開口部を利用してブリスターカバーと台紙とを剥がすことにより、乳幼児には開封困難だが、乳幼児以外の者は内部の固形物品を取り出すことができる。
【先行技術文献】
【特許文献】
【０００６】
【特許文献１】特開２００４−５９１２４号公報
【特許文献２】特開２００９−２４１９４５号公報
【発明の概要】
【発明が解決しようとする課題】
【０００７】
ところで、上述の特許文献２に開示されている構成では、ブリスターカバーに、一部が浅く形成されることによって切断予定部が設けられている。そのため、ブリスター容器において、ブリスターカバーが立体的に形成された部分（立体部分）の占める割合が大きい。【０００８】
また、上述の特許文献２に開示されているブリスター容器は、そもそも、ブリスターカバーと台紙とを剥がすことにより電池を取り出す構造を有する。そのため、ブリスターカバーと台紙との接着力はあまり大きくない。【０００９】
そのため、乳幼児がブリスター容器を曲げたり捻じったりした場合に、ブリスターカバーの立体部分が大きな力を受けて破損したり、ブリスターカバーと台紙とが剥がれたりして、乳幼児が電池を取り出す可能性がある。【００１０】
よって、上述の特許文献２に開示されているブリスター容器を電池包装体に適用した場合でも、乳幼児が電池包装体を破壊して、内部の電池を取り出し、誤飲する可能性がある。一方で、当然のことながら、電池包装体は、乳幼児以外の人が電池を使用する際に、電池包装体から電池を取り出せるような構成を有する必要がある。【００１１】
本発明の目的は、電池を包装するための電池包装体において、乳幼児が電池を取り出しにくくしつつ、乳幼児以外の人は電池を取り出し可能な電池包装体の構成を得ることにある。
【課題を解決するための手段】
【００１２】
本発明の一実施形態に係る電池包装体は、電池を包装するための電池包装体である。この電池包装体は、第１部材と、前記第１部材との間に前記電池を収納可能な第２部材とを備える。前記第１部材と前記第２部材とは、少なくともそれらの外周縁部で固定されている。前記第２部材は、前記第１部材との間に前記電池を収納可能な収納空間を形成するように前記第２部材の厚み方向に突出した収納凸部と、前記収納凸部と繋がる位置に設けられるとともに、前記第１部材に対して固定されていない非固定部と、前記収納凸部に沿うように設けられるとともに、前記第２部材の厚み方向に突出した第１リブ部と、を有する。前記非固定部は、前記第１リブ部に対して前記収納凸部を挟んで反対側に位置するとともに、電池包装体を開封する際に切断される切断可能領域の一部を構成する。前記第１リブ部は、前記非固定部、前記収納凸部及び前記第１リブ部が並ぶ方向に対して交差する方向に延びている（第１の構成）。【００１３】
上述の構成を有する電池包装体は、第１部材及び第２部材が少なくとも外周縁部で固定されているため、切断可能領域で切断する前は、電池包装体を開封するための開封部分が存在しない。そのため、乳幼児は前記電池包装体から電池を容易に取り出すことができない。【００１４】
前記電池包装体を、収納凸部と繋がった非固定部を含む切断可能領域で切断することにより、その切断端面における前記第１部材と前記第２部材との間に開口を設けることができる。前記非固定部は、第１リブ部に対して前記収納凸部を挟んで反対側に位置するため、前記切断可能領域で切断した際に前記開口が設けられる部分は、前記収納凸部を挟んで前記第１リブ部とは反対側の位置である。【００１５】
上述の構成では、前記第１リブ部は、前記非固定部、前記収納凸部及び前記第１リブ部が並ぶ方向に対して交差する方向に延びている。よって、切断後の電池包装体において、前記第１リブ部の延伸方向の延長線上に位置する前記電池包装体の両端部を近づけるように、該両端部を厚み方向に第１部材側に折り曲げて押圧した場合、前記第１リブ部が前記交差する方向に圧縮される力を受ける一方、前記切断端面で前記第１部材と前記第２部材とが大きく離間して、開口が大きく拡がる。これにより、前記収納凸部によって形成された収納空間内から電池を容易に取り出すことができる。【００１６】
前記第１の構成において、前記切断可能領域は、前記交差する方向に直線状に延びている（第２の構成）。これにより、電池包装体から電池を取り出す際に、前記電池包装体を切断可能領域で容易に切断できる。【００１７】
前記第１または第２の構成において、前記第１リブ部は、前記交差する方向において、前記電池の寸法よりも大きい長さを有する（第３の構成）。これにより、切断可能領域で切断された電池包装体において、非固定部、収納凸部及び第１リブ部が並ぶ方向に対して交差する方向の両端部を近づけるように、該両端部を厚み方向に第１部材側に折り曲げて押圧することにより、切断端面において第１部材と第２部材とをより大きく離間させて、前記切断端面の開口をより大きく拡げることができる。よって、前記収納凸部によって形成された収納空間内から電池をより容易に取り出すことができる。【００１８】
前記第１から第３の構成のうちいずれか一つの構成において、前記第２部材は、前記収納凸部に沿うように、前記非固定部、前記収納凸部及び前記第１リブ部が並ぶ方向に延びる第２リブ部を有する（第４の構成）。【００１９】
これにより、電池包装体において、非固定部、収納凸部及び第１リブ部が並ぶ方向の剛性を向上できる。しかも、切断可能領域で切断された電池包装体において、非固定部、収納凸部及び第１リブ部が並ぶ方向に対して交差する方向の両端部を近づけるように、該両端部を厚み方向に第１部材側に折り曲げて押圧することにより、切断端面において第１部材と第２部材とをより容易に離間させて、前記切断端面の開口をより容易に拡げることができる。【００２０】
前記第４の構成において、前記第２リブ部は、前記第１リブ部に接続されている（第５の構成）。これにより、電池包装体の剛性をより向上できる。しかも、切断可能領域で切断された電池包装体において、非固定部、収納凸部及び第１リブ部が並ぶ方向に対して交差する方向の両端部を近づけるように、該両端部を厚み方向に第１部材側に折り曲げて押圧することにより、切断端面において第１部材と第２部材とをより容易に離間させて、前記切断端面の開口をより容易に拡げることができる。【００２１】
前記第５の構成において、前記第１リブ部及び第２リブ部は、前記第２部材の厚み方向から見て全体としてＵ字状に形成されている（第６の構成）。これにより、電池包装体の剛性をより向上できる。しかも、切断可能領域で切断された電池包装体において、非固定部、収納凸部及び第１リブ部が並ぶ方向に対して交差する方向の両端部を近づけるように、該両端部を厚み方向に第１部材側に折り曲げて押圧することにより、切断端面において第１部材と第２部材とをより容易に離間させて、前記切断端面の開口をより容易に拡げることができる。【００２２】
前記第４から第６の構成のうちいずれか一つの構成において、前記切断可能領域において、前記第２部材のうち、前記第２部材の厚み方向から見て前記交差する方向の少なくとも中央部分は、前記第１部材に対して厚み方向に平行な平板状である（第７の構成）。【００２３】
これにより、切断可能領域において、第２部材のうち、前記交差する方向の少なくとも中央部分に凹凸がないため、前記第２部材を前記切断可能領域で容易に切断することができる。なお、平行とは、前記第２部材が第１部材に沿って配置され、前記第１部材と前記第２部材との間隔が、前記切断可能領域において同等である状態を意味する。【００２４】
前記第４から第７の構成のうちいずれか一つに記載の構成において、前記切断可能領域において、前記第２部材は、前記第１部材に対して厚み方向に平行な平板状である。前記切断可能領域は、前記非固定部において、第２部材の厚み方向から見て前記第２リブ部と重なっていない（第８の構成）。【００２５】
これにより、切断可能領域に凹凸がないため、第２部材を前記切断可能領域でより容易に切断することができる。【００２６】
前記第１から第８の構成のうちいずれか一つの構成において、前記第１リブ部は、前記収納凸部に接続されている（第９の構成）。これにより、収納凸部及び第１リブ部をより近くに配置できる。よって、電池包装体のコンパクト化を図れる。【００２７】
前記第１から第９の構成のうちいずれか一つの構成において、前記第１部材の剛性は、前記非固定部、前記収納凸部及び前記第１リブ部が並ぶ方向に対して交差する方向において、前記第２部材の剛性よりも低い（第１０の構成）。【００２８】
これにより、切断可能領域で切断された電池包装体において、非固定部、収納凸部及び第１リブ部が並ぶ方向に対して交差する方向の両端部を近づけるように、該両端部を厚み方向に第１部材側に折り曲げて押圧することにより、切断端面において第１部材を第２部材に対して容易に変形させることができる。よって、前記電池包装体において前記交差する方向の両端部を近づけるように、該両端部を厚み方向に第１部材側に折り曲げて押圧することにより、前記切断端面において前記第１部材と前記第２部材とをより容易に離間させて、前記切断端面の開口をより容易に拡げることができる。【００２９】
前記第１から第１０の構成のうちいずれか一つに記載の電池包装体において、前記第１リブ部の剛性は、前記第１部材と前記第２部材との固定部分のうち、前記第１リブ部に対して前記交差する方向に位置する部分の剛性よりも高い（第１１の構成）。【００３０】
これにより、切断可能領域で切断された電池包装体において、非固定部、収納凸部及び第１リブ部が並ぶ方向に対して交差する方向の両端部を近づけるように、該両端部を厚み方向に第１部材側に折り曲げて押圧することにより、切断端面において第１部材を第２部材に対して容易に変形させることができる。よって、前記電池包装体において前記交差する方向の両端部を近づけるように、該両端部を厚み方向に第１部材側に折り曲げて押圧することにより、前記切断端面において前記第１部材と前記第２部材とをより容易に離間させて、前記切断端面の開口をより容易に拡げることができる。【００３１】
前記第１から第１１の構成のうちいずれか一つの構成において、前記第１部材の厚みは、前記第２部材の厚みよりも小さい（第１２の構成）。【００３２】
これにより、切断可能領域で切断された電池包装体において、非固定部、収納凸部及び第１リブ部が並ぶ方向に対して交差する方向の両端部を近づけるように、該両端部を厚み方向に第１部材側に折り曲げて押圧することにより、切断端面において第１部材を第２部材に対して容易に変形させることができる。よって、前記電池包装体において前記交差する方向の両端部を近づけるように、該両端部を厚み方向に第１部材側に折り曲げて押圧することにより、前記切断端面において前記第１部材と前記第２部材とをより容易に離間させて、前記切断端面の開口をより容易に拡げることができる。【００３３】
前記第１から第１２の構成のうちいずれか一つの構成において、前記第１部材は、前記切断可能領域で切断された前記第１部材及び前記第２部材に対し、前記非固定部、前記収納凸部及び前記第１リブ部が並ぶ方向に対して交差する方向に圧縮力を加えて、前記交差する方向における前記第１部材及び前記第２部材の両端部を厚み方向の第１部材側に屈曲させた際に、前記切断可能領域の切断によって形成された切断端面において、前記非固定部、前記収納凸部及び前記第１リブ部が並ぶ方向から見て、前記交差する方向において前記収納凸部に対応する領域で、前記厚み方向に撓んで前記第２部材に対して離間するように構成されている（第１３の構成）。【００３４】
これにより、切断可能領域で切断された電池包装体において、切断端面の開口をより大きく拡げることができる。よって、収納凸部によって形成された収納空間内から電池をより容易に取り出すことができる。
【発明の効果】
【００３５】
本発明の一実施形態に係る電池包装体では、第１部材に対して少なくとも外周縁部で固定された第２部材は、収納凸部と繋がる位置で前記第１部材に対して固定されていない非固定部と、前記収納凸部に沿うように設けられた第１リブ部とを有する。前記非固定部は、前記第１リブ部に対して前記収納凸部を挟んで反対側に位置し且つ切断可能領域の一部を構成する。前記第１リブ部は、前記非固定部、前記収納凸部及び前記第１リブ部が並ぶ方向に対して交差する方向に延びている。【００３６】
これにより、乳幼児が電池を取り出しにくくしつつ、乳幼児以外の人は電池を取り出し可能な電池包装体の構成が得られる。
【図面の簡単な説明】
【００３７】
【図１】図１は、実施形態１に係る電池包装体の概略構成を示す正面図である。
【図２】図２は、図１におけるＩＩ−ＩＩ線断面図である。
【図３】図３は、図１におけるＩＩＩ−ＩＩＩ線断面図である。
【図４】図４は、電池包装体を切断可能領域で切断した状態を示す図である。
【図５】図５は、切断された電池包装体から電池を取り出す様子を模式的に示す図である。
【図６】図６は、実施形態２に係る電池包装体の概略構成を示す図１相当図である。
【図７】図７は、電池包装体を切断可能領域で切断した状態を示す図である。
【図８】図８は、実施形態３に係る電池包装体の概略構成を示す図１相当図である。
【図９】図９は、その他の実施形態に係る電池包装体の概略構成を示す図１相当図である。
【発明を実施するための形態】
【００３８】
以下、図面を参照し、本発明の実施の形態を詳しく説明する。図中の同一または相当部分については同一の符号を付してその説明は繰り返さない。
【００３９】
［実施形態１］
図１は、本発明の実施形態１に係る電池包装体１の概略構成を示す図である。図２は、図１におけるＩＩ−ＩＩ線断面図である。図３は、図１におけるＩＩＩ−ＩＩＩ線断面図である。電池包装体１は、例えばコイン型電池及びボタン型電池を包装するための包装体である。電池包装体１は、台紙１０（第１部材）とブリスターカバー２０（第２部材）とを有する。すなわち、本実施形態の電池包装体１では、台紙１０及びブリスターカバー２０が固定されている。
【００４０】
電池包装体１は、店舗の陳列棚のフック等に保持される被保持部１ａと、電池２を収納する電池収納部１ｂとを有する。被保持部１ａ及び電池収納部１ｂは、一方向に並んで配置されている。すなわち、電池包装体１は、前記一方向に長い長方形状である。なお、被保持部１ａ及び電池収納部１ｂは、台紙１０及びブリスターカバー２０のそれぞれ一部を組み合わせることによって構成されている。
【００４１】
台紙１０は、例えばＰＥ（ポリエチレン）及びＰＥＴ（ポリエチレンテレフタラート）を含む樹脂製である。本実施形態では、ＰＥＴ、Ａｌが蒸着されたＰＥＴ、及びＰＥの各シートが厚み方向に積層されることによって、台紙１０が構成されている。すなわち、台紙１０は、ＰＥＴとＰＥとの間に、Ａｌが蒸着されたＰＥＴが配置された材料によって構成されている。また、台紙１０において、ＰＥ側の面にブリスターカバー２０が固定される。本実施形態では、台紙１０は、長方形の板状に形成されている。
【００４２】
なお、台紙１０は、他の樹脂（ＰＳ（ポリスチレン）、ＰＶＣ（ポリ塩化ビニル）、等）を含んでいてもよいし、台紙として機能する材料であれば、どのような材料によって構成されていてもよい。また、台紙１０は、凹凸を有していてもよい。
【００４３】
台紙１０の厚みは、ブリスターカバー２０の厚みよりも小さい。また、台紙１０の短手方向（後述の非固定部３２、収納凸部２４及び第１リブ部２６ａが並ぶ方向に対して交差する方向）の剛性は、ブリスターカバー２０の短手方向の剛性よりも低い。
【００４４】
台紙１０には、長手方向の一方側に、電池包装体１を店舗の陳列棚のフック等にかけるための貫通穴１２が形成されている。台紙１０の長手方向の一方側は、電池包装体１の被保持部１ａの一部を構成する。
【００４５】
ブリスターカバー２０は、例えばＰＥ及びＰＥＴを含む樹脂製である。ブリスターカバー２０は、台紙１０と対応するように平面視で長方形状に形成されている。ブリスターカバー２０は、ＰＥ及びＰＥＴが厚み方向に積層された構成を有する場合、ＰＥ側の面に台紙１０が固定される。
【００４６】
なお、ブリスターカバー２０は、透明な樹脂製であれば、例えば、ＰＳ、ＰＶＣ、他の材料からなるラミネートフィルムなどによって構成されていてもよい。
【００４７】
図１及び図２に示すように、ブリスターカバー２０には、長手方向の一方側に、台紙１０に設けられた貫通穴１２とともに電池包装体１の貫通穴１ｃを構成する貫通穴２３が形成されている。すなわち、ブリスターカバー２０の長手方向の一方側は、台紙１０の長手方向の一方側とともに電池包装体１の被保持部１ａを構成する。
【００４８】
ブリスターカバー２０は、台紙１０と組み合わされた状態で、長手方向の他方側に、該台紙１０との間に電池２を収納するための収納空間Ｓを形成する収納凸部２４を有する。すなわち、ブリスターカバー２０は、図２に示すように、長手方向の一部が側面視で厚み方向に突出した形状を有する。収納凸部２４は、電池２を収納可能な寸法を有する。ブリスターカバー２０は、収納凸部２４、後述の凸部２５及びリブ部２６以外の部分が、台紙１０と組み合わされた状態で該台紙１０と接触するような平面状に形成されている。
【００４９】
ブリスターカバー２０は、図１から図３に示すように、被保持部１ａに、厚み方向に突出した平面視で長方形状の凸部２５を有するとともに、収納凸部２４を囲むように、厚み方向に突出したリブ部２６を有する。
【００５０】
リブ部２６は、収納凸部２４に対し、ブリスターカバー２０の長手方向の他方側に設けられた第１リブ部２６ａと、ブリスターカバー２０の短手方向の両側に設けられた一対の第２リブ部２６ｂとを有する。
【００５１】
第１リブ部２６ａは、ブリスターカバー２０の長手方向において、収納凸部２４を挟んで被保持部１ａとは反対側に、ブリスターカバー２０の厚み方向に突出するように設けられている。第１リブ部２６ａは、ブリスターカバー２０の短手方向に直線状に延びるように設けられている。すなわち、第１リブ部２６ａは、後述の非固定部３２、収納凸部２４及び第１リブ部２６ａが並ぶ方向（ブリスターカバー２０の長手方向）に対して交差する方向に延びている。なお、第１リブ部２６ａの突出高さは、収納凸部２４の突出高さよりも小さい。
【００５２】
第１リブ部２６ａは、延伸方向（前記交差する方向）の長さが収納空間Ｓ内に収納される電池２の直径（前記交差する方向の寸法）よりも大きい。すなわち、電池包装体１の平面視で、ブリスターカバー２０の短手方向において、第１リブ部２６ａは、電池２よりも外方に突出している。
【００５３】
第１リブ部２６ａの剛性は、台紙１０とブリスターカバー２０との固定部分のうち、第１リブ部２６ａに対して延伸方向（前記交差する方向）に位置する部分の剛性よりも高い。
【００５４】
第１リブ部２６ａは、延伸方向の中央部分が収納凸部２４に接続されている。すなわち、第１リブ部２６ａと収納凸部２４とは、それらの一部が一体である。これにより、電池包装体１の長手方向において、電池包装体１のコンパクト化を図れる。なお、第１リブ部２６ａと収納凸部２４とは、分離して設けられていてもよい。
【００５５】
一対の第２リブ部２６ｂは、ブリスターカバー２０の短手方向において、収納凸部２４を挟んで両側に、ブリスターカバー２０の厚み方向に突出するように設けられている。各第２リブ部２６ｂは、ブリスターカバー２０の長手方向（非固定部３２、収納凸部２４及び第１リブ部２６ａが並ぶ方向）に直線状に延びるように設けられている。本実施形態では、一対の第２リブ部２６ｂは、第１リブ部２６ａに対して、直交する方向に延びている。なお、本実施形態では、一対の第２リブ部２６ｂは、第１リブ部２６ａに対して直交しているが、この限りではなく、第１リブ部２６ａに対して交差していればよい。
【００５６】
第２リブ部２６ｂの突出高さは、収納凸部２４の突出高さよりも小さい。また、各第２リブ部２６ｂは、延伸方向の長さが収納空間Ｓ内に収納される電池２の直径（前記延伸方向の寸法）よりも大きい。なお、各第２リブ部２６ｂにおける延伸方向の長さは、電池２の直径よりも小さくてもよい。
【００５７】
第１リブ部２６ａ及び一対の第２リブ部２６ｂは、一体に形成されている。すなわち、一対の第２リブ部２６ｂは、ブリスターカバー２０の長手方向において、一方側が第１リブ部２６ａにおけるブリスターカバー２０の短手方向の両端部に接続されている。これにより、リブ部２６は、収納凸部２４を囲むように、平面視で略Ｕ字状に形成されている。なお、略Ｕ字状とは、Ｕ字状に湾曲した場合だけでなく、角部を有する形状も含む。
【００５８】
本実施形態では、第１リブ部２６ａ及び一対の第２リブ部２６ｂは、それぞれ、延伸方向に直交する断面が略半円状の断面である。なお、第１リブ部２６ａ及び一対の第２リブ部２６ｂは、それぞれ、前記断面が略半円状以外の断面であってもよい。
【００５９】
上述のように、ブリスターカバー２０に、凸部２５及びリブ部２６を設けることにより、電池包装体１の剛性を確保できる。しかも、リブ部２６を設けることにより、電池包装体１において、収納凸部２４の周りの剛性を高めることができるため、電池２が収納されている収納空間Ｓが潰れるのを抑制できる。
【００６０】
さらに、リブ部２６を設けることにより、後述するように、台紙１０とブリスターカバー２０との非固定部３２を切断して収納空間Ｓ内から電池２を取り出す際に、台紙１０及びブリスターカバー２０を容易に変形させることができる。したがって、電池包装体１の収納空間Ｓ内から電池２を容易に取り出すことができる。
【００６１】
台紙１０とブリスターカバー２０とは、収納凸部２４、凸部２５及びリブ部２６以外の部分で、接着剤（例えば、ポリエステル樹脂及びエポキシ樹脂の混合樹脂、アクリル樹脂、塩ビ酢ビ共重合樹脂など）または熱溶着等によって固定されている。すなわち、台紙１０とブリスターカバー２０とは、少なくとも外周縁部で固定されている。また、台紙１０とブリスターカバー２０とは、電池包装体１の長手方向において、凸部２５と収納凸部２４及びリブ部２６との間も固定されている。図１において、台紙１０とブリスターカバー２０とが固定された固定部３１の範囲を点状領域で示す。
【００６２】
このように、台紙１０とブリスターカバー２０とを、それらの外周縁部で固定することにより、乳幼児が電池包装体１を容易に開封することを防止できる。
【００６３】
電池包装体１は、長手方向において、収納凸部２４及びリブ部２６の一方側、すなわち、収納凸部２４を挟んで第１リブ部２６ａとは反対側には、台紙１０とブリスターカバー２０とが接着固定されていない非固定部３２を有する。非固定部３２は、凸部２５と収納凸部２４及びリブ部２６との間に位置するとともに、収納凸部２４及びリブ部２６と繋がっている。すなわち、非固定部３２と収納凸部２４及びリブ部２６との間には、固定部が存在しない。
【００６４】
非固定部３２は、電池包装体１の長手方向において収納凸部２４を挟んで第１リブ部２６ａとは反対側に、電池包装体１の短手方向（非固定部３２、収納凸部２４及び第１リブ部２６ａが並ぶ方向に対して交差する方向）に直線状に延びるように設けられている。非固定部３２は、後述するように、電池包装体１を開封する際にハサミ等によって切断される切断可能領域Ｐの一部を構成する。すなわち、電池包装体１を、非固定部３２を含むように短手方向に切断することにより、非固定部３２に開口３３が形成されるため、該開口３３から収納空間Ｓ内の電池２を取り出すことができる。
【００６５】
なお、本実施形態では、電池包装体１は、凸部２５、リブ部２６の周りにも非固定部を有する（図１において白地部分参照）。しかしながら、電池包装体１は、上述の非固定部３２以外の非固定部を有していなくてもよい。
【００６６】
切断可能領域Ｐは、非固定部３２の一部によって構成される。本実施形態では、切断可能領域Ｐは、電池包装体１の短手方向（非固定部３２、収納凸部２４及び第１リブ部２６ａが並ぶ方向に対して交差する方向）に直線状に延びている。なお、前記切断可能領域は、直線状に限らず、円弧状等でもよい。
【００６７】
切断可能領域Ｐにおいて、ブリスターカバー２０のうち厚み方向から見て前記短手方向の少なくとも中央部分は、台紙１０に対して厚み方向に平行な平板状である。すなわち、切断可能領域Ｐにおいて前記短手方向の少なくとも中央部分は、ブリスターカバー２０に凹凸が形成されていない。本実施形態では、切断可能領域Ｐでは、ブリスターカバー２０は、台紙１０に対して厚み方向に平行な平板状である。また、切断可能領域Ｐは、非固定部３２において、第２リブ部２６ｂに対し、前記非固定部、前記収納凸部及び前記第１リブ部が並ぶ方向に位置する。すなわち、切断可能領域Ｐは、非固定部３２において、ブリスターカバー２０の厚み方向から見てブリスターカバー２０の第２リブ部２６ｂと重なっていない。これにより、電池包装体１を、切断可能領域Ｐで容易に切断することができる。
【００６８】
なお、平行とは、ブリスターカバー２０が台紙１０に沿って配置され、台紙１０とブリスターカバー２０との間隔が同等である状態を意味する。
【００６９】
（電池包装体からの電池の取り出し）
次に、上述のような構成を有する電池包装体１の開封について説明する。
【００７０】
図４に示すように、電池包装体１の切断可能領域Ｐをハサミ等によって切断すると、電池包装体１は、被保持部１ａと電池収納部１ｂとに分離される。これにより、電池包装体１を開封する際に不要な被保持部１ａを取り除くことができる。
【００７１】
また、上述のように、電池包装体１の切断可能領域Ｐをハサミ等で切断することにより、電池包装体１は非固定部３２を通るように切断される。
【００７２】
以下の説明において、切断可能領域Ｐで切断された後のブリスターカバーを、それぞれ、ブリスターカバー２０ａ，２０ｂとし、切断可能領域Ｐで切断された後の台紙を、それぞれ、台紙１０ａ，１０ｂとする。また、切断後の非固定部を、それぞれ、非固定部３２ａ，３２ｂとし、切断後の固定部を、それぞれ、固定部３１ａ，３１ｂとする。切断可能領域Ｐで切断された際にブリスターカバー２０ｂ及び台紙１０ｂに形成される切断端面をＸとする。
【００７３】
上述のように、電池包装体１の切断可能領域Ｐをハサミ等で切断することにより、非固定部３２は、非固定部３２ａ，３２ｂに分断される。これにより、非固定部３２ｂの切断端面Ｘに開口３３が形成される。非固定部３２ｂは、収納凸部２４に繋がっている。よって、非固定部３２ｂに開口３３が形成されることにより、収納凸部２４によって形成された収納空間Ｓは開口３３によって外部とつながる。しかしながら、非固定部３２ｂは台紙１０ｂに沿うように平面状に形成されているため、開口３３の開口面積は小さい。そのため、電池２を外部に取り出すためには、開口３３の開口面積を電池２が通過可能な大きさまで拡げる必要がある。
【００７４】
これに対し、図５に示すように、電池収納部１ｂに対して、第１リブ部２６ａの延伸方向の延長線上に位置する電池収納部１ｂの両端部を近づけるように、力を加える（図中の白抜き矢印）ことにより、開口３３を大きく拡げることができる。なお、前記両端部は、それぞれ、電池収納部１ｂにおいて、第１リブ部２６ａの延伸方向の外側部分である。
【００７５】
具体的には、電池収納部１ｂに対し、非固定部３２ｂ、収納凸部２４及び第１リブ部２６ａが並ぶ方向に対して交差する方向に圧縮力を加えて、前記交差する方向における電池収納部１ｂの両端部を、厚み方向の同じ方向に屈曲させる。これにより、切断可能領域Ｐにおいて、前記交差する方向の全体に亘って、台紙１０とブリスターカバー２０の非固定部３２ｂとの間に隙間を生じさせる。これにより、開口３３を、電池２が通過可能な大きさに拡げることができる。なお、上述のように、前記交差する方向における電池収納部１ｂの両端部を、厚み方向の同じ方向（台紙１０側）に屈曲させた際に、電池収納部１ｂは、第２リブ部２６ｂに沿って折り曲げられる。
【００７６】
これは、電池収納部１ｂに対して前記力を加えた際に、第１リブ部２６ａが延伸方向（前記交差する方向）に突っ張る一方、ブリスターカバー２０よりも前記交差する方向の剛性が低い台紙１０が、前記交差する方向の両端部が近づくことによってブリスターカバー２０に対して厚み方向に離間するように撓んで（図中の斜線矢印参照）、ブリスターカバー２０との間の開口３３が大きく拡がるためである。
【００７７】
すなわち、台紙１０は、切断可能領域Ｐで切断された台紙１０及びブリスターカバー２０に対し、非固定部３２ｂ、収納凸部２４及び第１リブ部２６ａが並ぶ方向に対して交差する方向に圧縮力を加えて、前記交差する方向における台紙１０及びブリスターカバー２０の両端部を、厚み方向の同じ方向（台紙１０側）に屈曲させた際に、切断可能領域Ｐの切断によって形成された切断端面Ｘにおいて、非固定部３２ｂ、収納凸部２４及び第１リブ部２６ａが並ぶ方向から見て、前記交差する方向において収納凸部２４に対応する領域で、厚み方向に撓んでブリスターカバー２０に対して離間するように構成されている。
【００７８】
本実施形態では、台紙１０は、上述のような変形を実現可能なように、ブリスターカバー２０の厚みよりも小さい厚みを有する。台紙１０の厚みは、ブリスターカバー２０の厚みに対し、例えば、３／４以下が好ましく、１／２以下がより好ましく、１／３以下がさらに好ましく、１／４以下が最も好ましい。
【００７９】
なお、第２リブ部２６ｂは、電池収納部１ｂにおいて第１リブ部２６ａ以外の部分の剛性を向上させることに寄与する。そのため、第２リブ部２６ｂを設けることにより、開口３３をより大きく拡げることが可能になる。
【００８０】
このように開口３３を拡げることにより、開口３３から電池２を容易に取り出すことができる。
【００８１】
また、第１リブ部２６ａの剛性は、台紙１０とブリスターカバー２０との固定部分のうち、第１リブ部２６ａに対して延伸方向（前記交差する方向）に位置する部分の剛性よりも高い。
【００８２】
これにより、電池収納部１ｂにおいて、非固定部３２ｂ、収納凸部２４及び第１リブ部２６ａが並ぶ方向に対して交差する方向の両端部を近づけるように、該両端部を厚み方向に台紙１０側に折り曲げて押圧することにより、切断端面Ｘにおいて台紙１０をブリスターカバー２０に対して容易に変形させることができる。よって、電池収納部１ｂにおいて前記交差する方向の両端部を近づけるように、該両端部を厚み方向に台紙１０側に折り曲げて押圧することにより、切断端面Ｘにおいて台紙１０とブリスターカバー２０とをより容易に離間させて、切断端面Ｘの開口をより容易に拡げることができる。
【００８３】
以上のように、電池包装体１の切断可能領域Ｐをハサミ等によって切断することにより、非固定部３２ｂに開口３３が出現する。これにより、切断可能領域Ｐが切断されていない場合には電池包装体１から電池２を取り出すことができないが、切断可能領域Ｐを切断することによって、電池包装体１から電池２を取り出すことが可能になる。
【００８４】
したがって、上述の構成により、乳幼児は容易に電池２を取り出せない一方、乳幼児以外の人が電池２を使用する際には電池２を容易に取り出すことができる電池包装体１が得られる。
【００８５】
しかも、本実施形態の電池包装体１は、ブリスターカバー２０と台紙１０とを剥がすことなく、ハサミ等によって切断することにより、電池２を取り出すことができる。よって、電池包装体１から電池２を取り出した後でも電池収納部１ｂの構成が維持されるため、交換後の電池等を、収納空間Ｓ内に再度、収納することができる。これにより、使用済電池を廃棄するまでの保管または回収ＢＯＸに入れるまでの持ち運び等の際に、開口部分を折り曲げることにより、固定部材等を使わずに前記使用済電池が電池収納部１ｂの収納空間Ｓ内に収納された状態、すなわち前記使用済電池が台紙１０及びブリスターカバー２０によって覆われた状態を保つことができる。よって、電池が短絡することを防止できる。
【００８６】
［実施形態２］
図６に、本発明の実施形態２に係る電池包装体１０１の概略構成を示す。この実施形態の電池包装体１０１は、ブリスターカバー１２０に設けられたリブ部１２６の構成が、実施形態１の構成とは異なる。以下では、実施形態１と同様の構成には、実施形態１と同一の符号を付して説明を省略し、実施形態１と異なる構成についてのみ説明する。
【００８７】
図６に示すように、電池包装体１０１は、実施形態１の電池包装体１と同様、台紙１１０と、ブリスターカバー１２０とを有する。台紙１１０及びブリスターカバー１２０は、後述の収納凸部１２４、凸部１２５及びリブ部１２６以外で、接着剤等によって固定されている。なお、台紙１１０及びブリスターカバー１２０は、それぞれ、実施形態１の台紙１０及びブリスターカバー２０と同様の材料によって構成されている。
【００８８】
電池包装体１０１は、被保持部１０１ａと、電池収納部１０１ｂとを有する。被保持部１０１ａは、電池包装体１０１の長手方向の一方側に位置する。電池収納部１０１ｂは、電池包装体１０１の長手方向の他方側に位置する。すなわち、被保持部１０１ａ及び電池収納部１０１ｂは一方向に並んで配置されている。よって、電池包装体１０１は、前記一方向に長い長方形状である。本実施形態に係る電池包装体１０１は、実施形態１の電池包装体１に比べて、短手方向の長さが小さい。
【００８９】
被保持部１０１ａの構成は、実施形態１の被保持部１ａと同様の構成を有するため、詳しい説明を省略する。なお、図６において、符号１０１ｃは、貫通穴であり、符号１２５は、凸部である。
【００９０】
電池収納部１０１ｂは、ブリスターカバー１２０に形成された収納凸部１２４及びリブ部１２６を有する。収納凸部１２４は、台紙１１０との間に、電池２を収納可能な大きさを有する収納空間Ｓを形成する。リブ部１２６は、ブリスターカバー１２０の長手方向に直線状に延びる第１リブ部１２６ａと、ブリスターカバー１２０の短手方向に直線状に延びる一対の第２リブ部１２６ｂとを有する。
【００９１】
第１リブ部１２６ａは、ブリスターカバー１２０の短手方向において、収納凸部１２４に対して一方側に位置する。第１リブ部１２６ａは、ブリスターカバー１２０の長手方向において、電池２の直径（寸法）よりも大きい長さを有する。第１リブ部１２６ａは、延伸方向の中央部分が収納凸部１２４と接続されている。すなわち、第１リブ部１２６ａ及び収納凸部１２４は、それらの一部が一体である。これにより、電池包装体１０１の短手方向において、電池包装体１０１のコンパクト化を図れる。
【００９２】
第１リブ部１２６ａの剛性は、台紙１０とブリスターカバー１２０との固定部分のうち、第１リブ部１２６ａに対して延伸方向（前記交差する方向）に位置する部分の剛性よりも高い。
【００９３】
一対の第２リブ部１２６ｂは、ブリスターカバー１２０の長手方向において、収納凸部１２４に対して両側に位置する。各第２リブ部１２６ｂは、ブリスターカバー１２０の短手方向において、電池２の直径（寸法）よりも大きい長さを有する。
【００９４】
第１リブ部１２６ａ及び一対の第２リブ部１２６ｂは、一体に形成されている。すなわち、一対の第２リブ部１２６ｂは、ブリスターカバー１２０の短手方向において、一方側が第１リブ部１２６ａにおけるブリスターカバー１２０の長手方向の両端部に接続されている。これにより、リブ部１２６は、収納凸部１２４を囲むように略Ｕ字状に形成されている。
【００９５】
なお、第１リブ部１２６ａ及び第２リブ部１２６ｂは、実施形態１の第１リブ部２６ａ及び第２リブ部２６ｂとは、配置が異なる以外、同様の構成を有する。
【００９６】
上述のようなリブ部１２６を設けることにより、収納凸部１２４の周りの剛性を向上できる。
【００９７】
しかも、上述のような第１リブ部１２６ａを設けることにより、後述するように、電池包装体１０１から電池２を取り出す際に、後述の切断可能領域Ｐを切断することによって切断端面に形成される開口１３３を大きく拡げることができる。よって、電池２を収納空間Ｓ内から容易に取り出すことができる。
【００９８】
台紙１１０とブリスターカバー１２０とは、収納凸部１２４、凸部１２５及びリブ部１２６以外の部分で接着剤（例えば、ポリエステル樹脂及びエポキシ樹脂の混合樹脂、アクリル樹脂、塩ビ酢ビ共重合樹脂など）または熱溶着等によって固定されている。すなわち、台紙１１０とブリスターカバー１２０とは、少なくとも外周縁部で固定されている。また、台紙１１０とブリスターカバー１２０とは、凸部１２５と収納凸部１２４及びリブ部１２６との間も固定されている。図６において、台紙１１０とブリスターカバー１２０とが固定された固定部１３１の範囲を点状領域で示す。
【００９９】
このように、台紙１１０とブリスターカバー１２０とを、それらの外周縁部で固定することにより、乳幼児が電池包装体１０１を容易に開封することを防止できる。
【０１００】
電池包装体１０１は、短手方向の他方側、すなわち、収納凸部１２４を挟んで第１リブ部１２６ａとは反対側には、台紙１１０とブリスターカバー１２０とが固定されていない非固定部１３２を有する。非固定部１３２は、収納凸部１２４及びリブ部１２６と繋がっている。すなわち、非固定部１３２と収納凸部１２４及びリブ部１２６との間には、固定部が存在しない。
【０１０１】
非固定部１３２は、電池包装体１０１の短手方向において収納凸部１２４を挟んで第１リブ部１２６ａとは反対側に、電池包装体１０１の長手方向に直線状に延びるように設けられている。非固定部１３２は、後述するように、電池包装体１０１を開封する際にハサミ等によって切断される切断可能領域Ｐの一部を構成する。すなわち、電池包装体１０１を、非固定部１３２を含むように長手方向に切断することにより、非固定部１３２に開口１３３が形成されるため、該開口１３３から収納空間Ｓ内の電池２を取り出すことができる。
【０１０２】
なお、本実施形態では、電池包装体１０１は、凸部１２５、リブ部１２６の周りにも非固定部を有する（図６において白地部分参照）。しかしながら、電池包装体１０１は、上述の非固定部１３２以外の非固定部を有していなくてもよい。
【０１０３】
切断可能領域Ｐにおいて、ブリスターカバー１２０のうち厚み方向から見て前記長手方向の少なくとも中央部分は、台紙１１０に対して厚み方向に平行な平板状である。すなわち、切断可能領域Ｐにおいて前記長手方向の少なくとも中央部分は、ブリスターカバー１２０に凹凸が形成されていない。本実施形態では、切断可能領域Ｐでは、ブリスターカバー１２０は、台紙１１０に対して厚み方向に平行な平板状である。また、切断可能領域Ｐは、非固定部１３２において、第２リブ部１２６ｂに対し、前記非固定部、前記収納凸部及び前記第１リブ部が並ぶ方向に位置する。すなわち、切断可能領域Ｐは、非固定部１３２において、ブリスターカバー１２０の厚み方向から見てブリスターカバー１２０の第２リブ部１２６ｂと重なっていない。これにより、電池包装体１０１を、切断可能領域Ｐで容易に切断することができる。
【０１０４】
なお、平行とは、ブリスターカバー１２０が台紙１１０に沿って配置され、台紙１１０とブリスターカバー１２０との間隔が同等である状態を意味する。
【０１０５】
（電池包装体からの電池の取り出し）
次に、上述のような構成を有する電池包装体１０１の開封について説明する。
【０１０６】
図７に示すように、電池包装体１０１の凸部１２５とリブ部１２６との間をハサミ等によって切断すると、電池包装体１０１は、被保持部１０１ａと電池収納部１０１ｂとに分離される。これにより、電池包装体１０１を開封する際に不要な被保持部１０１ａを取り除くことができる。
【０１０７】
その後、電池収納部１０１ｂの切断可能領域Ｐをハサミ等によって切断する。以下の説明において、切断可能領域Ｐで切断された後のブリスターカバーを、それぞれ、ブリスターカバー１２０ａ，１２０ｂとし、切断可能領域Ｐで切断された後の台紙を、台紙１１０ａ，１１０ｂとし、また、切断可能領域Ｐで切断された後の非固定部を、それぞれ、非固定部１３２ａ，１３２ｂとする。
【０１０８】
上述のように、電池収納部１０１ｂの切断可能領域Ｐをハサミ等で切断することにより、非固定部１３２は、非固定部１３２ａ，１３２ｂに分断される。これにより、非固定部１３２ｂの切断端面に開口１３３が形成される。非固定部１３２ｂは収納凸部１２４に繋がっている。よって、非固定部１３２ｂに開口１３３が形成されることにより、収納凸部１２４によって形成された収納空間Ｓは開口１３３によって外部とつながる。しかしながら、非固定部１３２ｂは台紙１１０ｂに沿うように平面状に形成されているため、開口１３３の開口面積は小さい。そのため、電池２を外部に取り出すためには、開口１３３の開口面積を電池が通過可能な大きさまで拡げる必要がある。
【０１０９】
これに対し、切断後の電池収納部１０１ｂに対して、第１リブ部１２６ａの延伸方向の延長線上に位置する電池収納部１０１ｂの両端部を近づけるように、力を加えることにより、開口１３３を大きく拡げることができる。なお、前記両端部は、それぞれ、電池収納部１ｂにおいて、第１リブ部２６ａの延伸方向の外側部分である。
【０１１０】
具体的には、電池収納部１０１ｂに対し、非固定部１３２ｂ、収納凸部１２４及び第１リブ部１２６ａが並ぶ方向に対して交差する方向に圧縮力を加えて、前記交差する方向における電池収納部１０１ｂの両端部を、厚み方向の同じ方向に屈曲させる。これにより、切断可能領域Ｐにおいて、前記交差する方向の全体に亘って、台紙１１０とブリスターカバー１２０の非固定部１３２ｂとの間に隙間を生じさせる。これにより、開口１３３を、電池２が通過可能な大きさに拡げることができる。なお、上述のように、前記交差する方向における電池収納部１０１ｂの両端部を、厚み方向の同じ方向（台紙１１０側）に屈曲させた際に、電池収納部１０１ｂは、第２リブ部１２６ｂに沿って折り曲げられる。
【０１１１】
これは、切断後の電池収納部１０１ｂに対して前記力を加えた際に、第１リブ部１２６ａが延伸方向（前記交差する方向）に突っ張る一方、ブリスターカバー１２０よりも前記交差する方向の剛性が低い台紙１１０が、前記交差する方向の両端部が近づくことによってブリスターカバー１２０に対して厚み方向に離間するように撓んで、ブリスターカバー１２０との間の開口１３３が大きく拡がるためである。
【０１１２】
すなわち、台紙１１０は、切断可能領域Ｐで切断された台紙１１０及びブリスターカバー１２０に対し、非固定部１３２ｂ、収納凸部１２４及び第１リブ部１２６ａが並ぶ方向に対して交差する方向に圧縮力を加えて、前記交差する方向における台紙１１０及びブリスターカバー１２０の両端部を、厚み方向の同じ方向（台紙１１０側）に屈曲させた際に、切断可能領域Ｐの切断によって形成された切断端面において、非固定部１３２ｂ、収納凸部１２４及び第１リブ部１２６ａが並ぶ方向から見て、前記交差する方向において収納凸部１２４に対応する領域で、厚み方向に撓んでブリスターカバー１２０に対して離間するように構成されている。
【０１１３】
なお、第２リブ部１２６ｂは、切断後の電池収納部１０１ｂにおいて第１リブ部１２６ａ以外の部分の剛性を向上させることに寄与する。そのため、第２リブ部１２６ｂを設けることにより、開口１３３をより大きく拡げることが可能になる。
【０１１４】
このように開口１３３を拡げることにより、開口１３３から電池２を容易に取り出すことができる。
【０１１５】
また、第１リブ部１２６ａの剛性は、台紙１１０とブリスターカバー１２０との固定部分のうち、第１リブ部１２６ａに対して延伸方向（前記交差する方向）に位置する部分の剛性よりも高い。
【０１１６】
これにより、電池収納部１０１ｂにおいて、非固定部１３２ｂ、収納凸部１２４及び第１リブ部１２６ａが並ぶ方向に対して交差する方向の両端部を近づけるように、該両端部を厚み方向に台紙１１０側に折り曲げて押圧することにより、切断端面において台紙１１０をブリスターカバー１２０に対して容易に変形させることができる。よって、電池収納部１０１ｂにおいて前記交差する方向の両端部を近づけるように、該両端部を厚み方向に台紙１１０側に折り曲げて押圧することにより、前記切断端面において台紙１１０とブリスターカバー１２０とをより容易に離間させて、前記切断端面の開口をより容易に拡げることができる。
【０１１７】
したがって、本実施形態の構成によっても、乳幼児には容易に電池２を取り出せない一方、乳幼児以外の人が電池２を使用する際には電池２を容易に取り出し可能な電池包装体１０１が得られる。
【０１１８】
しかも、本実施形態の電池包装体１０１は、ブリスターカバー１２０と台紙１１０とを剥がすことなく、ハサミ等によって切断することにより、電池２を取り出すことができる。よって、電池包装体１から電池２を取り出した後でも電池収納部１０１ｂの構成が維持されるため、交換後の電池等を、収納空間Ｓ内に再度、収納することができる。これにより、使用済電池を廃棄するまでの保管または回収ＢＯＸに入れるまでの持ち運び等の際に、開口部分を折り曲げることにより、固定部材等を使わずに、前記使用済電池が電池収納部１０１ｂの収納空間Ｓ内に収納された状態、すなわち前記使用済電池が台紙１１０及びブリスターカバー１２０によって覆われた状態を保つことができる。よって、電池が短絡することを防止できる。
【０１１９】
［実施形態３］
図８に、本発明の実施形態３に係る電池包装体２０１の概略構成を示す。この実施形態の電池包装体２０１は、電池収納部２０１ｂに収納凸部２２４，２５４及びリブ部２２６，２５６が２つずつ設けられている点で、実施形態１の構成とは異なる。以下では、実施形態１と同様の構成には、実施形態１と同一の符号を付して説明を省略し、実施形態１と異なる構成についてのみ説明する。
【０１２０】
図８に示すように、電池包装体２０１は、実施形態１の電池包装体１と同様、台紙２１０と、ブリスターカバー２２０とを有する。台紙２１０及びブリスターカバー２２０は、後述の収納凸部２２４，２５４、凸部２２５及びリブ部２２６，２５６以外で、接着剤等によって固定されている。なお、台紙２１０及びブリスターカバー２２０は、それぞれ、実施形態１の台紙１０及びブリスターカバー２０と同様の材料によって構成されている。
【０１２１】
電池包装体２０１は、被保持部２０１ａと、電池収納部２０１ｂとを有する。被保持部２０１ａは、電池包装体２０１の長手方向の一方側に位置する。電池収納部２０１ｂは、電池包装体２０１の長手方向の他方側に位置する。すなわち、被保持部２０１ａ及び電池収納部２０１ｂは、一方向に並んで配置されている。よって、電池包装体２０１は、前記一方向に長い長方形状である。
【０１２２】
被保持部２０１ａの構成は、実施形態１の被保持部１ａと同様の構成を有するため、詳しい説明を省略する。なお、図８において、符号２０１ｃは、貫通穴であり、符号２２５は、凸部である。
【０１２３】
電池収納部２０１ｂは、ブリスターカバー２２０に形成された収納凸部２２４，２５４及びリブ部２２６，２５６を有する。収納凸部２２４，２５４は、台紙２１０との間に、それぞれ、電池２を収納可能な大きさを有する収納空間Ｓ１，Ｓ２を形成する。収納凸部２２４，２５４は、ブリスターカバー２２０の長手方向に並んで設けられている。
【０１２４】
リブ部２２６は、収納凸部２２４を囲むように略Ｕ字状形成されている。リブ部２５６は、収納凸部２５４を囲むように略Ｕ字状に形成されている。リブ部２２６，２５６は、それぞれ、ブリスターカバー２２０の短手方向に延びる第１リブ部２２６ａ，２５６ａと、ブリスターカバー２２０の長手方向に延びる一対の第２リブ部２２６ｂ，２５６ｂとを有する。
【０１２５】
収納凸部２２４，２２６及びリブ部２２６，２５６は、実施形態１の収納凸部２４及びリブ部２６と同様の構成を有するため、詳しい説明を省略する。
【０１２６】
本実施形態では、リブ部２２６，２５６は、ブリスターカバー２２０の長手方向において、第１リブ部２２６ａ，２５６ａが収納凸部２２４，２５４を挟んで反対側に位置するように設けられている。
【０１２７】
また、本実施形態では、非固定部２３２，２６２は、ブリスターカバー２２０の長手方向において、収納凸部２２４，２５４の間に設けられている。非固定部２３２，２６２の間には、固定部２３１が設けられている。非固定部２３２，２６２の構成は、実施形態１における非固定部３２の構成と同様なので、詳しい説明を省略する。
【０１２８】
なお、本実施形態では、リブ部２２６，２５６、収納凸部２２４，２５４及び非固定部２３２，２６２は、非固定部２３２，２６２の間に位置する固定部２３１を挟んで、電池包装体２０１の長手方向に対称に配置されている。しかしながら、リブ部２２６、収納凸部２２４及び非固定部２３２の位置関係が本実施形態の位置関係と同じであり、リブ部２５６、収納凸部２５４及び非固定部２６２の位置関係が本実施形態の位置関係と同じであれば、リブ部２２６，２５６、収納凸部２２４，２５４及び非固定部２３２，２６２の配置及び向き等は、本実施形態の構成に限定されない。
【０１２９】
電池包装体２０１から電池２を取り出す際には、非固定部２３２，２６２の一部によって構成される切断可能領域Ｐ１，Ｐ２をそれぞれハサミ等によって切断する。すなわち、収納空間Ｓ１内の電池２を取り出す場合には、非固定部２３２の一部によって構成される切断可能領域Ｐ１を切断する。一方、収納空間Ｓ２内の電池２を取り出す場合には、非固定部２６２の一部によって構成される切断可能領域Ｐ２を切断する。切断後の電池２の取り出し方法は、実施形態１の場合と同様である。
【０１３０】
したがって、本実施形態の構成によっても、乳幼児には容易に電池２を取り出せない一方、乳幼児以外の人が電池２を使用する際には電池２を容易に取り出し可能な電池包装体２０１が得られる。
【０１３１】
（その他の実施形態）
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【０１３２】
前記各実施形態では、リブ部２６，１２６，２２６，２５６は、第２リブ部２６ｂ，１２６ｂ，２２６ｂ，２５６ｂを有する。しかしながら、リブ部は、第２リブ部を有していなくてもよい。すなわち、リブ部は、第１リブ部のみを有していてもよい。
【０１３３】
具体的には、例えば図９に示すように、ブリスターカバー３２０は、電池包装体３０１の短手方向に延びる第１リブ部２６ａを有する一方、前記各実施形態のような第２リブ部は有していない。この場合でも、電池包装体３０１は、長手方向において、収納凸部２４を挟んで第１リブ部２６ａとは反対側に、非固定部３２を有する。これにより、非固定部３２の一部によって構成される切断可能領域Ｐをハサミ等で切断することによって、収納空間Ｓ内の電池２を取り出すことができる。図９において、符号３０１ａは被保持部であり、符号３０１ｂは電池収納部である。
【０１３４】
なお、ブリスターカバーは、第１リブ部及び第２リブ部以外のリブを有していてもよい。
【０１３５】
前記各実施形態では、第１リブ部２６ａ，１２６ａ，２２６ａ，２５６ａと第２リブ部２６ｂ，１２６ｂ，２２６ｂ，２５６ｂとは直交している。しかしながら、第１リブ部と第２リブ部とは、交差する方向に延びていれば、直交していなくてもよい。
【０１３６】
前記各実施形態では、リブ部２６，１２６，２２６，２５６の第１リブ部２６ａ，１２６ａ，２２６ａ，２５６ａ及び第２リブ部２６ｂ，１２６ｂ，２２６ｂ，２５６ｂは、それぞれ、直線状である。しかしながら、第１リブ部及び第２リブ部は、一方または両方が曲線状であってもよい。
【０１３７】
前記各実施形態では、電池包装体１，１０１，２０１，３０１は、平面視で長方形状である。しかしながら、電池包装体は、長方形状以外の形状であってもよい。
【０１３８】
前記各実施形態では、リブ部２６，１２６，２２６，２５６は、収納凸部２４，１２４，２２４，２５４よりも突出高さが小さい。しかしながら、リブ部は、収納凸部よりも突出高さが大きくてもよい。
【０１３９】
前記各実施形態では、ブリスターカバー２０，１２０，２２０，３２０に、収納凸部２４，１２４，２２４，２５４、リブ部２６，１２６，２２６，２５６、凸部２５，１２５，２２５及び非固定部３２，１３２，２３２，２６２が設けられている。しかしながら、台紙に、収納凸部、リブ部、凸部及び非固定部を設けてもよいし、ブリスターカバー及び台紙の両方に、収納凸部、リブ部、凸部及び非固定部を設けてもよい。
【０１４０】
前記各実施形態では、台紙１０，１１０，２１０とブリスターカバー２０，１２０，２２０，３２０とは接着固定されている。しかしながら、台紙とブリスターカバーとの固定方法は、前記各実施形態に記載の接着固定以外に、溶着固定であってもよいし、固定部材等によって固定する方法であってもよい。
【０１４１】
前記各実施形態では、台紙１０，１１０，２１０とブリスターカバー２０，１２０，２２０，３２０とは、貫通穴１ｃ，１０１ｃ，２０１ｃ、収納凸部２４，１２４，２２４，２５４、リブ部２６，１２６，２２６，２５６及び凸部２５，１２５，２２５を除いた部分の平面同士が接着固定されている。しかしながら、台紙及びブリスターカバーは、貫通穴、収納凸部、リブ部及び凸部を除いた部分がそれぞれ平面でなくてもよく、該除いた部分の全てが接着固定されていなくてもよい。ただし、台紙及びブリスターカバーは、それらの外周縁部で接着固定されている必要がある。
【０１４２】
前記実施形態１では、台紙１０は、ブリスターカバー２０の厚みよりも小さい厚みを有する。しかしながら、台紙は、ブリスターカバーの厚み以上の厚みを有していてもよい。
【０１４３】
前記各実施形態では、電池包装体１，１０１，２０１，３０１によって包装される電池２は、ボタン型電池またはコイン型電池である。しかしながら、他の小型の電池を包装する場合に、電池包装体に前記実施形態の構成を適用してもよい。
【産業上の利用可能性】
【０１４４】
本発明による電池包装体は、ボタン型電池やコイン型電池などの小型の電池を包装する場合に利用可能である。
【符号の説明】
【０１４５】
１、１０１、２０１、３０１  電池包装体
１ａ、１０１ａ、２０１ａ、３０１ａ  被保持部
１ｂ、１０１ｂ、２０１ｂ、３０１ｂ  電池収納部
１ｃ、１０１ｃ、２０１ｃ  貫通穴
２  電池
１０、１１０、２１０  台紙（第１部材）
１０ａ、１１０ａ  切断後の台紙
１０ｂ、１１０ｂ  切断後の台紙
２０、１２０、２２０、３２０  ブリスターカバー（第２部材）
２０ａ、１２０ａ  切断後のブリスターカバー
２０ｂ、１２０ｂ  切断後のブリスターカバー
２４、１２４、２２４、２５４  収納凸部
２５、１２５、２２５  凸部
２６、１２６、２２６、２５６  リブ部
２６ａ、１２６ａ、２２６ａ、２５６ａ  第１リブ部
２６ｂ、１２６ｂ、２２６ｂ、２５６ｂ  第２リブ部
３２、１３２、２３２、２６２  非固定部
３２ａ、１３２ａ  切断後の非固定部
３２ｂ、１３２ｂ  切断後の非固定部
３３、１３３  開口
Ｓ、Ｓ１、Ｓ２  収納空間
Ｐ、Ｐ１、Ｐ２  切断可能領域
Ｘ  切断端面
【図１】
2018207911.tif 000003
【図２】
2018207911.tif 000004
【図３】
2018207911.tif 000005
【図４】
2018207911.tif 000006
【図５】
2018207911.tif 000007
【図６】
2018207911.tif 000008
【図７】
2018207911.tif 000009
【図８】
2018207911.tif 000010
【図９】
2018207911.tif 000011
【国際調査報告】
2018207911.tif 000012
2018207911.tif 000013
2018207911.tif 000014
2018207911.tif 000015